(57)【要約】【課題】現像剤を徐々に自動交換してメンテナンス性を向上しつつ、余剰現像剤の増加に対し感度良く排出することができ、現像剤を徐々に自動交換する構成を採用しながらも現像容器内に収容する現像剤の量を増やすことができる現像装置を提供する。【解決手段】トナー及びキャリアを含む現像剤を収容する現像容器２と、現像容器２内の現像剤を搬送する搬送部材２ｂと、現像容器２に設けられ現像剤の補給に伴う余剰現像剤を排出する排出口２ｄと、を有する現像装置において、搬送部材２ｂの現像剤搬送能力は排出口２ｄから現像剤搬送方向下流側Ｄ２の領域よりも排出口２ｄ近傍Ｃの領域の方が大きい。【選択図】図２
2004206088.tif 000002
【特許請求の範囲】
【請求項１】
トナー及びキャリアを含む現像剤を収容する現像容器と、
前記現像容器内の現像剤を搬送する搬送部材と、
前記現像容器に設けられ現像剤の補給に伴う余剰現像剤を排出する排出口と、
を有する現像装置において、
前記搬送部材の現像剤搬送能力は前記排出口から現像剤搬送方向下流側の領域よりも前記排出口近傍の領域の方が大きいことを特徴とする現像装置。
【請求項２】
前記排出口近傍の領域の現像剤面が前記搬送部材の最上部よりも低く、且つ、前記排出口から現像剤搬送方向下流側の領域の現像剤面は前記搬送部材の最上部よりも高くなるように、前記搬送部材の現像剤搬送能力を設定することを特徴とする請求項１の現像装置。
【請求項３】
前記搬送部材は回転軸上に設けられた螺旋翼部と前記回転軸上に設けられた攪拌リブとを有し、前記攪拌リブを前記排出口近傍の領域に設けることなく前記排出口から現像剤搬送方向下流側の領域に設けたことを特徴とする請求項２の現像装置。
【請求項４】
前記搬送部材の現像剤搬送能力は、前記排出口から現像剤搬送方向上流側の領域よりも前記排出口近傍の領域の方が大きいことを特徴とする請求項１の現像装置。
【請求項５】
前記排出口近傍の領域の現像剤面が前記搬送部材の最上部よりも低く、且つ、前記排出口から現像剤搬送方向上流側及び下流側の領域の現像剤面が前記搬送部材の最上部よりも高くなるように、前記搬送部材の現像剤搬送能力を設定することを特徴とする請求項４の現像装置。
【請求項６】
前記搬送部材は回転軸上に現像剤を搬送する螺旋翼部を有し、前記排出口近傍の領域を除いて前記回転軸上に攪拌リブが設けられていることを特徴とする請求項５の現像装置。
【請求項７】
前記現像容器は、前記像担持体上の静電像を現像する現像室と、前記搬送部材並びに前記排出口が設けられ前記現像室との間で現像剤の循環経路を構成する攪拌室と、を有することを特徴とする請求項１又は４の現像装置。
【請求項８】
トナー及びキャリアを含む現像剤を収容する現像容器と、
前記現像容器内の現像剤を搬送する搬送部材と、
前記現像容器に設けられ現像剤の補給に伴う余剰現像剤を排出する排出口と、
を有し、像担持体上に形成された静電像を現像する現像装置において、
前記搬送部材は回転軸上に設けられた螺旋翼部と前記回転軸上に設けられた攪拌リブとを有し、前記攪拌リブを前記排出口近傍の領域に設けることなく前記排出口から現像剤搬送方向上下流側の領域に設けたことを特徴とする現像装置。
【発明の詳細な説明】
【技術分野】
【０００１】
本発明は、電子写真方式や静電記録方式を用いて形成された静電像を現像する現像装置に関し、特に、複写機、プリンタ、FAX等に用いられる現像装置に関する。
【背景技術】
【０００２】
従来の画像形成装置、その中でも特に有彩色の画像形成を行う電子写真方式の画像形成装置において、非磁性トナーと磁性キャリアを混合して現像剤として使用する二成分現像方式が広く利用されている。
【０００３】
二成分現像方式は現在提案されている他の現像方式に比較して、画質の安定性、装置の耐久性などの長所を備えている一方、長期の耐久による現像剤の劣化、特にキャリアの劣化が不可避であったため、画像形成装置の長期使用に伴い現像剤交換という作業を行う必要がある。
【０００４】
一方、近年のフルカラー複写機／プリンタでは、ランニングコスト削減のために、現像剤の交換作業を行わずに高画質を維持する方法として、以下のような技術の導入が進んでいる。
【０００５】
例えば特許文献１によると、「キヤリアとトナーを撹拌する撹拌手段と、同撹拌手段で撹拌された現像剤を感光体へ供給する現像ロールとを備えた電子写真複写機用現像装置において、前記撹拌手段の上方にキヤリア補給装置とトナー補給装置とを分離しまたは一体化して設け、現像装置ハウジングの側壁に現像剤溢出部を設けたため、新しい現像剤を前記補給装置により少しづつ補給するとともに前記現像剤溢出部より排出することができ、前記現像装置ハウジング内の現像剤の特性を一定に維持させることができ、その結果、複写物の画質も一定に保持させることができる。」とされ、又、「前記現像装置ハウジング内の古くなつた現像剤は前記現像剤溢出部より順次自動的に排出されるため、従来のもののように、現像装置を複写機より外し、同装置のハウジング内の古い現像剤を取出し、新しい現像剤を再充填した後、再び現像装置を取付けるといつた面倒な現像剤交換作業が不必要となり、しかも現像剤飛散が防止されて衛生的である。」とされる。
【０００６】
つまり、劣化した現像剤（キャリア）を新しいものと徐々に入れ替えていくことで、見かけ上のキャリアの劣化進行が止まり、現像剤全体としては特性が安定する。これによって現像剤交換という作業を不要にし、メンテナンス性を向上させているのである。
【０００７】
しかしながら、近年のフルカラー複写機／プリンタでは、高画質を達成するために現像剤中のトナー及びキャリアの小粒径化が進んでいるが、トナー及びキャリアを小粒径化すると、雰囲気中の水分量の変化に対する現像剤のトリボの変化が大きくなる。それに伴い現像装置中の現像剤の嵩密度の変化も大きくなる。具体的には、水分量が少なくなるとトリボが高くなり嵩密度が低くなる。逆に水分量が多くなるとトリボが低くなり嵩密度が高くなる。
【０００８】
この状態で現像剤量を一定にすると、嵩密度が低くなって、現像剤面は上昇したり、嵩密度が高くなって現像剤面は下降したりする。
【０００９】
従来の技術では、上述したように現像装置の側壁に現像剤溢出部つまり現像剤排出口を設け、オーバーフローによって現像剤の排出を行ない、現像剤面を一定に維持しようとする方法である。
【００１０】
しかし、上述のように現像剤の嵩密度の変化によって現像剤面が安定しないと、現像剤の排出が好適に行われずに、補給される現像剤量と排出される現像剤量のバランスが悪くなり、現像装置内の現像剤量がしだいに増加して現像剤面が上昇する。
【００１１】
よって、現像剤排出口から現像剤が排出される際、排出口以外の場所の現像剤面が高くなりすぎる場合等に、補給トナーの攪拌不良や、上述の現像剤の嵩密度変化により現像剤量が増加しすぎるとトルクオーバーになり、高画質を維持できないというような問題が発生する場合があった。
【特許文献１】特公平２−２１５９１号公報
【発明の開示】
【発明が解決しようとする課題】
【００１２】
本発明の目的は、現像剤を徐々に自動交換してメンテナンス性を向上しつつ、余剰現像剤の増加に対し感度良く排出することができる現像装置を提供することである。
【００１３】
本発明の他の目的は、現像剤を徐々に自動交換する構成を採用しながらも現像容器内に収容する現像剤の量を増やすことができる現像装置を提供することである。
【課題を解決するための手段】
【００１４】
上記目的は本発明に係る現像装置にて達成される。要約すれば、本発明は、トナー及びキャリアを含む現像剤を収容する現像容器と、
前記現像容器内の現像剤を搬送する搬送部材と、
前記現像容器に設けられ現像剤の補給に伴う余剰現像剤を排出する排出口と、
を有する現像装置において、
前記搬送部材の現像剤搬送能力は前記排出口から現像剤搬送方向下流側の領域よりも前記排出口近傍の領域の方が大きいことを特徴とする現像装置を提供する。
【発明の効果】
【００１５】
本発明の現像装置は、トナー及びキャリアを含む現像剤を収容する現像容器と、現像容器内の現像剤を搬送する搬送部材と、現像容器に設けられ現像剤の補給に伴う余剰現像剤を排出する排出口と、を有する現像装置において、搬送部材の現像剤搬送能力は排出口から現像剤搬送方向下流側の領域よりも排出口近傍の領域の方が大きいので、単色画像形成装置や、ロータリ方式をはじめとする様々な構成のフルカラー画像形成装置において、現像剤を徐々に自動交換して、余剰現像剤の増加に対し感度良く排出することができ、メンテナンス性を上げ、且つ、現像剤を小粒化しても、攪拌不良やトルクオーバーを回避し、トリクル構成を採用しながらも現像容器内の現像剤の入れ目を増やすことができるので、ベタ連続ジョブに対応でき、様々な環境で高画質を維持することができる。
【発明を実施するための最良の形態】
【００１６】
以下、本発明に係る現像装置を図面に則して更に詳しく説明する。
【００１７】
実施例１
図１は本実施例の現像装置を説明する図、又、図５はこの現像装置を用いた画像形成装置の一例を説明する図である。
【００１８】
まず、画像形成装置全体の動作について説明する。本実施例の画像形成装置は、像担持体として、ドラム状の電子写真感光体（感光ドラム）１２８を有し、図５において、まず帯電器１２１によって帯電された感光ドラム１２８表面をレーザ１２２によって露光することで感光ドラム１２８上に静電潜像を形成し、この潜像を現像装置１によって現像することで感光ドラム１２８上に現像剤像（トナー像）を形成する。
【００１９】
このトナー像が転写帯電器１２３による転写バイアスによって、転写ベルト１２４によって搬送される記録紙１２７に転写された後、記録紙１２７は転写ベルト１２４から剥離され、定着器１２５によって加圧／加熱され、永久画像を得る。又、転写後に感光ドラム１２８上に残った残トナーはクリーナ１２６により除去され、次の画像形成に備える。
【００２０】
次に図１によって、現像装置１について詳しく説明する。
【００２１】
現像装置１には、非磁性トナ−と磁性キャリアを含む二成分現像剤が収容されており、その混合比は重量比でおおよそ１：９程度である。この比はトナーの帯電量、キャリア粒径、画像形成装置の構成などで適正に調整されるべきものであって、必ずしもこの数値に従わなければいけないものではない。
【００２２】
現像装置１は、感光ドラム１２８に対向した現像領域が開口しており、この開口部に一部露出するようにして現像剤担持体である現像スリーブ３が回転可能に配置されている。磁界発生手段である固定のマグネット４を内包する現像スリーブ３は非磁性材料で構成され、現像動作時には図１の矢印方向に回転し、現像容器２内の二成分現像剤を層状に保持して現像領域に担持搬送し、感光ドラム１２８と対向する現像領域に供給して、感光ドラム１２８に形成されている静電潜像を現像する。静電潜像を現像した後の現像剤は、現像スリーブ３の回転にしたがって搬送され、現像容器２内に回収される。
【００２３】
現像容器２は、隔壁２ｇにより現像スリーブ３が近い側の現像室である第１室２ｅと攪拌室である第２室２ｆとに区画され、第１室２ｅと第２室２ｆにはそれぞれ、第一の搬送部材、第二の搬送部材である第一搬送スクリュー２ａ、第二搬送スクリュー２ｂが配置されている。第一搬送スクリュー２ａ、第二搬送スクリュー２ｂにより現像容器２内を循環し、混合攪拌する。現像剤循環の方向は、本実施例では第一搬送スクリュー２ａ側で図１の手前側から奥側に向かう方向、第二搬送スクリュー２ｂ側では図１の奥側から手前側に向かう方向である。
【００２４】
この補給現像剤のトナー及びキャリアの混合比は、重量比で９：１程度であるが、特にこの数値に限定されるものではない。即ち現像容器２内の二成分現像剤の比に対してトナー量が圧倒的に多く、体積比を考えればトナー中にキャリアが微量混合されているものと考えることもできる。つまり、画像形成によって消費されたトナーを補う際に、微量のキャリアを徐々に補給していくことになる。
【００２５】
補給される現像剤のキャリアの比が多くなれば同じ量のトナー補給でキャリアの入れ替わり量が多くなり、現像装置１内の二成分現像剤はフレッシュな状態に近づくが、その分キャリアの消費量が多くなる。このためそれぞれの装置において適当な混合比を別途定めるのが好ましい。
【００２６】
画像形成によるトナー消費とトナー補給量制御手段による補給を繰り返すと、現像容器２内にはトナー補給時に共に補給されたキャリアが増加する。二成分現像剤のトナー濃度はトナー補給量制御手段によって略一定に保たれているので、現像容器２中の現像剤量が増加することになる。過剰になった二成分現像剤は、現像剤排出口２ｄの開口部を超えた分が補給容器５ａと一体化された回収容器５ｂに回収される。
【００２７】
次に、現像剤の補給と、現像剤の回収について詳しく説明する。
【００２８】
ここでは、補給トナー及びキャリアが収容された補給容器５ａと現像容器２内の過剰現像剤（余剰現像剤）を回収するための回収容器５ｂとは、一体化されて現像剤カートリッジ５を構成している。
【００２９】
現像剤カートリッジ５は、図３に示すように、補給容器部分である略円筒形の補給現像剤収容部５ａと、回収容器部分である回収現像剤収容部５ｂと、で構成され、画像形成装置本体から容易に脱着可能である。
【００３０】
現像剤カートリッジ５を画像形成装置に手前側から挿入すると、シャッター機構６ｄがスライドして、現像剤回収口６ｂが開口し、更に手前側の把手５ｃを右側にひねることで、回収現像剤収容部５ｂが画像形成装置本体に固定されたまま補給現像剤収容部５ａが回転し、現像容器２側の現像剤補給口２ｉと連絡した現像剤補給口６ａが開口する。
【００３１】
尚、現像剤カートリッジ５を画像形成装置から離脱する際には把手５ｃを左側にひねることで両開口部６ａ、２ｉが閉じ、内包する粉体が外部にもれることはない。
【００３２】
又、補給現像剤収容部５ａ内には、補給される現像剤を攪拌するための攪拌部材７が内蔵されている。図３に現像剤カートリッジ５の内部が一部示されているが、攪拌部材７はこれに示したように樹脂フィルムなどをらせん状にしたものを剛体の軸で回転駆動するようにしたもので、適宜回転することで補給現像剤収容部５ａ内の現像剤を攪拌し、又、現像剤の補給を補助する。
【００３３】
画像形成によって消費された分のトナーは、攪拌部材７の回転力と重力によって、補給現像剤収容部５ａから現像剤補給口６ａを通過して、図１に示されるように現像容器２の現像剤補給口２ｉに配設された補給スクリュー８へと搬送され、補給スクリュー８の回転に従い現像容器２内の現像スリーブ３が設置されていない攪拌室２ｆ側に補給される。
【００３４】
このようにして、現像剤カートリッジ５から現像装置１に補給現像剤が補給される。
【００３５】
又、トナー（及びキャリア）の補給量は補給スクリュー８の回転数によっておおよそ定められるが、この回転数は図示しないトナー補給量制御手段によって定められる。トナー補給量制御の方法としては二成分現像剤のトナー濃度を光学的あるいは磁気的に検知するものや、感光ドラム１２８上の基準潜像を現像してそのトナー像の濃度を検知する方法など様々な方法が知られているので、いずれかの方法を適宜選択することが可能である。
【００３６】
画像形成によるトナー消費とトナー補給量制御手段による補給によって過剰になった二成分現像剤は、攪拌室２ｆ側に設けられた現像剤排出口２ｄの開口部を超えた分が、現像剤回収口６ｂから回収現像剤収容部５ｂへと落下することで回収される。
【００３７】
ここで、現像剤補給口６ａ及び現像容器２の現像剤補給口２ｉは、現像剤カートリッジ５差し込み方向で現像容器２の軸方向奥側よりにあり、現像剤回収口６ｂ及び現像容器２の現像剤排出口２ｄは現像剤補給口６ａよりも更にやや奥側に位置する。
【００３８】
即ち、攪拌室２ｆに側に設けられた現像剤排出口２ｄは現像容器２内の現像剤の循環方向に関し、現像剤補給口２ｉの上流側に位置しており、現像剤補給口２ｉから補給されたフレッシュなキャリアは現像容器２内に収容され、攪拌室２ｆに循環されてきた二成分現像剤と、少なくとも現像容器２内での循環１周分混合攪拌されており、現像剤排出口２ｄから排出され現像剤回収口６ｂより回収現像剤収容部５ｂに回収される現像剤は大半が現像装置１内で画像形成を繰り返した古い現像剤である。このようにして二成分現像剤の入れ替えが徐々に行われる。
【００３９】
こうした現像装置においては、従来例にて説明したように、現像剤量や嵩密度が変化し、排出口以外の場所の現像剤面が不安定になる場合等に、現像剤量が増加しすぎるとトルクオーバーになり、高画質を維持できないというような問題が発生する場合があった。
【００４０】
本例においては、現像剤量や現像剤の嵩密度変化に対する、現像剤搬送中の排出口近傍の現像剤面の変化を、現像装置内のその他の場所の現像剤面の変化よりも大きくすることで、現像装置内の現像剤面を安定させ（過剰現像剤の排出量のリップルを低減させ）、トルクオーバーを回避するように構成している。
【００４１】
次に、本実施例の特徴的な部分である、現像剤量や嵩密度が変わったために、排出口以外の場所の現像剤面が不安定になった場合等の、現像剤排出口から現像剤が排出される際の現像剤面の変化について説明する。
【００４２】
本実施例においては、現像剤が補給及び排出される攪拌室２ｆにおいて、現像剤を攪拌搬送する第二搬送スクリューの構造を工夫することによって、現像剤面を調整する。
【００４３】
図２は、現像装置１の現像剤排出口２ｄ付近を攪拌室２ｆ側から見たものである。
【００４４】
第一搬送スクリュー２ａ及び第二搬送スクリュー２ｂは、外径２０μｍの回転軸２１に、軸方向にわたって、ピッチ２４ｍｍの攪拌羽根であるスクリュー羽２２が複数均等に設けられ、スクリュー羽２２間に、一様に攪拌促進部材としてのリブ２ｃが等間隔で配置している。ただし、第二搬送スクリュー２ｂの現像剤排出口２ｄ近傍のみリブ２ｃは配置していない。即ち、第二搬送スクリュー２ｂによる現像剤搬送方向への搬送能力は、排出口２ｄ近傍の領域Ｃ（図２）で大きく、排出口近傍から現像剤搬送方向上流側の領域Ｄ１及び下流側の領域Ｄ２（図２）では小さくなっている。
【００４５】
従って、第二搬送スクリュー２ｂを回転させて現像剤を搬送すると、通常の現像剤量の時は実線Ａのような現像剤面になる。即ち、現像剤排出口２ｄの近傍では現像剤面が低くなっており、スクリュー羽２２が露出した状態となっている。一方、現像剤排出口２ｄ近傍から現像剤搬送方向上下流の領域では現像剤面が高くなっており、スクリュー羽２２が現像剤によって埋没した状態となっている。従って、現像剤を徐々に交換するといった構成を採用しながらも、現像容器２内に収容する現像剤の量を増やすことが可能となり、例えば、ベタ画像（最大濃度画像）を複数連続して形成する画像形成ジョブを行う際に、画像形成のスループットを落とすことなく現像剤の攪拌不良に起因したトナーの帯電電荷量不足によって画像濃度が濃くなるといった画像形成不良を防止することができる。
【００４６】
この状態から、現像剤の補給に伴って現像容器２内の現像剤量が増加すると、もしくは現像容器内の現像剤の嵩密度が雰囲気環境によって小さくなると、現像剤面は破線Ｂのように変化する。即ち、現像剤排出口２ｄ近傍の領域Ｃの現像剤面が現像剤排出口２ｄ近傍から現像剤搬送方向上下流の領域Ｄ１、Ｄ２の現像剤面よりも敏感に上昇することになる。
【００４７】
これは、排出口２ｄ近傍の領域Ｃの現像剤搬送能力が大きい一方、排出口２ｄ近傍から現像剤搬送方向下流側の領域Ｄ２における現像剤の搬送能力が小さいため、現像剤（トナー及びキャリア）の補給によって現像容器２内の現像剤量が増加したとき、この増加量に見合う分の余剰現像剤が排出口２ｄから排出されるような動きを現像剤が示すためと考えられる。
【００４８】
従って、現像剤排出口２ｄ近傍から現像剤搬送方向上下流の領域Ｄ１、Ｄ２の現像剤面が異常に上昇し、現像剤の攪拌不良や第二搬送スクリュー２ｂを駆動するための駆動トルクが上昇する等の問題が発生する前に、現像剤排出口２ｄから適正量の過剰現像剤が排出され、現像容器２内の現像剤面（特に攪拌室２ｆ）を常に適正な範囲で保つことができる。
【００４９】
本実施例では、現像剤排出口２ｄ近傍、並びにその上下流の領域Ｃ、Ｄ１、Ｄ２での現像剤面が異なるように、第二搬送スクリュー２ｂに設置するリブ２ｃの有り無しで調整しているが、以下のような変形例であっても良い。
【００５０】
例えば、第一搬送スクリュー２ａ、及び第二搬送スクリュー２ｂの排出口２ｄに対向する部分Ｃ以外において軸方向にわたって均等にリブ２ｃが設置されているときは、排出口２ｄに対向する部分Ｃにおいて、取り付け間隔が他の部分Ｄ１、Ｄ２とは異なるようにリブ２ｃを設置する構成であっても良く、このような構成であれば、上記例と同様に、第二搬送スクリュー２ｂの排出口２ｄに対向する部分Ｃの現像剤搬送能力を、現像剤排出口２ｄ近傍から現像剤搬送方向上下流の領域Ｄ１、Ｄ２での現像剤搬送能力よりも大きくすることができるので、上記例と同様の効果を得ることができる。
【００５１】
又、リブ２ｃの有り無しで現像剤面を異ならせる例の他に、第二搬送スクリュー２ｂのスクリュー羽２２の径や回転軸２１の径等で調整する方法であっても良い。但し、リブ２ｃを設けて攪拌性を向上させることで排出口２ｄから現像剤搬送方向下流側Ｄ１、Ｄ２において現像剤を滞留気味にさせて、排出口２ｄ近傍Ｃの現像剤面を排出口２ｄ近傍から現像剤搬送方向下流側の領域Ｄ１、Ｄ２の現像剤面よりもより敏感に上昇させることができる。
【００５２】
また、排出口２ｄ近傍から現像剤搬送方向下流側の領域Ｄ２において現像剤が現像容器２の天井壁に接する程に滞留させる構成としても良く、このような構成とすることで排出口２ｄ近傍の現像剤面をより敏感に上昇させることができる。
【００５３】
以上説明したように、本発明の現像装置によって、現像剤の補給に伴う現像剤量や雰囲気環境による現像剤の嵩密度の変化に対する、現像剤搬送中の前記排出口近傍の現像剤面の変化を、現像装置内のその他の場所の現像剤面の変化よりも大きくすることで、現像装置内を適正な現像剤面に維持することができる。その結果、現像剤を徐々に自動交換してメンテナンス性を上げ、且つ、現像剤を小粒化しても、補給トナーの攪拌不良やトルクオーバー等が発生せず、様々な環境で高画質を維持する現像装置を実現し提供するという、本発明の目的が達成できる。
【００５４】
尚、上記実施例においては、現像容器のうち現像スリーブを設置していない側の攪拌室に、現像剤補給口及び排出口を設置し、搬送スクリューの構造を工夫することによって目的を達成したが、これに限らず、余剰現像剤の排出（即ち自動交換）が行われる現像剤収容部であれば同様に本発明を適用することができる。
【００５５】
例えば、現像容器が現像室と攪拌室とに上下に仕切られている構成のものや、攪拌室が複数室設けられたものにおいても適用できる。攪拌室が複数設けられた場合、現像剤排出口が設けられた攪拌室にある攪拌／搬送部材が上述した第二搬送スクリューとなる。
【００５６】
又、本発明が適用される画像形成装置は、図５に示されるものに限らない。
【００５７】
実施例２
次に図４を用いて、本発明の第２の実施例である現像カートリッジについて説明する。
【００５８】
図４に示したように、本実施例の現像カートリッジ９は、実施例１における現像装置１と現像剤カートリッジ５を一体として画像形成装置本体から容易に脱着可能としたものである。
【００５９】
補給現像剤収容部５ａは、実施例１のように回転せず固定されている。又、画像形成装置に装着する前の状態では、現像剤補給口６ａおよび現像剤回収口６ｂはシール部材６ｃによってシールされている。シール部材６ｃの端部は現像カートリッジ９の手前から一部突出しており、現像カートリッジ９を画像形成装置本体に手前から挿入した後、シール部材６ｃの突出部を手前側に引き出すことで現像剤補給口６ａおよび現像剤回収口６ｂが開口する。
【００６０】
その他の構成および現像剤の回収方法などは実施例１での説明と同様である。
【００６１】
実施例３
次に図６を用いて、本発明の実施例３である、実施例１における現像装置１を複数個、回転体（現像ロータリ）内部に配置した、回転切り替え現像方式の画像形成装置について説明する。
【００６２】
本実施例に係る電子写真画像形成装置は、円筒状の基体上に有機感光体でできた感光層を形成した電子写真感光体である感光ドラム１２８が図６の矢印方向に所定の周速度をもって回転可能に取り付けられている。
【００６３】
尚、本実施例では外径５０ｍｍのアルミ製シリンダー状に有機感光材料による感光層を形成し、更にトナーの離型性を向上させ、感光層の削れ防止のための表面保護層を設けている。
【００６４】
感光ドラム１２８は帯電手段である帯電器１２１によりその周面が所定の極性・電位に帯電される。そしてその帯電面に、露光手段１２２から出力される、図示しない画像読み取り装置やパーソナルコンピュータ等の画像信号発生装置等からプリントインターフェースを介して入力された画像情報の画素信号に対応して変調（オン／オフ変換）されたレーザ光３０による走査露光がなされることで、画像情報の静電潜像が形成される。
【００６５】
レーザ光反射ミラー３１は、露光手段１２２からの出力レーザ光３０を感光ドラム１２８に対して偏向する。
【００６６】
現像手段１００は、実施例１における現像装置１と同構成のイエロー現像装置１Ｙ、マゼンタ現像装置１Ｍ、シアン現像装置１Ｃ、ブラック現像装置１Ｋを内臓した、切り替え式の回転体（ロータリ、回転現像手段）１ａから構成されている。
【００６７】
回転現像手段１ａは、回転支持装置１ｃによって図６の矢印方向へ回転可能に支持され、前述したカラー現像装置１Ｙ、１Ｍ、１Ｃ、１Ｋが順次感光ドラム１２８に対向して各色トナーによる現像が行われるようになっている。
【００６８】
感光ドラム１２８の表面が帯電器１２１によって帯電されると、次に、第１色目（例えばイエロー）の画像データに応じてＯＮ／ＯＦＦ制御された露光手段１２２による露光走査がなされ、第１色目の静電潜像が感光ドラム１２８に形成される。この第１色目の静電潜像は第１色目のイエロー剤を内包したイエロー現像器１Ｙによって現像、可視像化される。そして、この可視像化された第１のトナー像は、感光ドラム１２８に所定の押圧力を持って圧接され、感光ドラム１２８の周速度と略等速の速度（本実施形態にあっては１００ｍｍ／ｓ）をもって矢印方向へ回転駆動される中間転写体３５とのニップ部において、中間転写体３５表面に転写される。
【００６９】
中間転写体３５への転写の際、中間転写体３５に対しては、トナーの帯電極性とは逆極性で、予め設定された電圧が印加される。この転写の際に中間転写体３５に転写されずに感光ドラム１２８上に残ったトナーは、感光ドラム１２８に圧接されたクリーニング手段であるクリーニングブレード２６ａにより掻き取られ、廃トナー容器１２６に回収される。
【００７０】
そして、上記転写工程を他のトナー（マゼンタ、シアン、ブラック）についても同様に繰り返し、その都度各々の現像装置１に内包された色の異なるトナーによるトナー像を中間転写体３５に順次転写、積層することによりカラー画像が合成形成される。
【００７１】
又、図６において、中間転写体３５から転写材１２７に転写されずに残ったトナーを中間転写体３５から除去するためのクリーナ１２９が設置されている。
【００７２】
中間転写体３５に対して、給送カセット１１から被記録材としての転写材１２７が給送ローラ１２ａ及び搬送ローラ１２ｂにより一枚ずつ給送され、転写ローラ１３へ転写材１２７の背面からトナーと逆極性の電圧を印加することによって転写材１２７に対して中間転写体３５側のフルカラートナー像が転写形成される。
【００７３】
そして、フルカラートナー像の転写を受けた転写材１２７は中間転写体３５から分離されて定着手段１２５へ導入され、トナー像の加熱定着を受けて排出トレー１５へ排出されるように構成されている。
【００７４】
こうした回転体に現像装置及び現像剤カートリッジを搭載することで、カラー画像形成装置においても本発明は適用できる。又、現像剤補給口及び現像剤排出口の開閉を工夫することによって、回転体に実施例２に説明した、現像容器及び回収容器と現像装置が一体となった現像カートリッジを搭載することも可能である。
【００７５】
又、本発明は、各色毎に像担持体としての感光ドラムを設置し、その感光ドラム毎に上記現像装置を含む画像形成手段を設置したインライン方式の画像形成装置においても適用できる。
【図面の簡単な説明】
【００７６】
【図１】本発明に係る現像装置、補給容器及び回収容器の一例を示す断面図である。
【図２】本発明に係る攪拌室の一例を示す長手方向の断面図である。
【図３】本発明に係る補給容器及び回収容器の一例を示す斜視図である。
【図４】本発明に係る現像カートリッジの一例を示す断面図である。
【図５】本発明に係る画像形成装置の一例を示す概略構成図である。
【図６】本発明に係る画像形成装置の他の例を示す概略構成図である。
【符号の説明】
【００７７】
１                    現像装置
１ａ                  ロータリー、回転現像手段（回転体）
２                    現像容器
２ａ                  第一搬送スクリュー（第一搬送部材）
２ｂ                  第二搬送スクリュー（第二搬送部材）
２ｃ                  リブ
２ｄ                  現像剤排出口
２ｈ                  規制ブレード（層厚規制部材）
３                    現像スリーブ（現像剤担持体）
４                    マグネットローラ（磁界発生手段）
５                    現像剤カートリッジ
５ａ                  補給現像剤収容部（補給容器）
５ｂ                  回収現像剤収容部（回収容器）
６ａ                  現像剤補給口
９                    現像カートリッジ
２１                  回転軸
２２                  攪拌羽根
１２８                感光ドラム（像担持体）
【図１】
2004206088.tif 000003
【図２】
2004206088.tif 000004
【図３】
2004206088.tif 000005
【図４】
2004206088.tif 000006
【図５】
2004206088.tif 000007
【図６】
2004206088.tif 000008